(57)【要約】  【課題】  処方せんの画像データを自動的に患者の処方データに結び付けて登録する手段が求められていた。  【解決手段】  入力された処方データを記録する処方データ記録手段と、処方データをもとに調剤録データを生成する生成手段と、処方せんの枚数を入力する入力手段と、入力された枚数情報を患者と調剤日と診療科のデータとともに２次元シンボル化する手段と、生成した調剤録データを２次元シンボルととともに処方せんの裏面に印刷出力する印刷手段と、処方せんの画像データを読み取る画像読取手段と、読み取った調剤録画像データの２次元シンボルから枚数情報を取得する手段と、取得した枚数情報に従って処方せん画像データを記録するとともに対応する処方データにリンク情報を記録する処理手段とを備えた構成である。  【選択図】図１
2006195876.tif 000002
【特許請求の範囲】
【請求項１】
患者と調剤日と診療科を指定して処方せんの処方データを入力するための入力手段と、入力された処方データを記録する処方データ記録手段と、入力された処方データをもとに調剤録データを生成する生成手段と、処方せんの枚数を入力するための枚数入力手段と、入力された枚数情報を患者と調剤日と診療科のデータとともに２次元シンボル化する手段と、前記生成した調剤録データを２次元シンボルととともに処方せんの裏面に印刷出力する印刷手段と、処方せんの画像データを読み取る画像読取手段と、読み取った画像データを記録する画像データ記録手段と、を備えたことを特徴とする処方せん情報管理装置。
【請求項２】
請求項１に記載の処方せん情報管理装置において、
前記画像読取手段は更に処方せんの裏面に印刷された調剤録の画像データを読み取るものであり、読み取った調剤録画像データの２次元シンボルから枚数情報を取得する手段と、取得した枚数情報に従って処方せん画像データを画像データ記録手段に記録するとともに対応する処方データに画像データへのリンク情報を記録する処理手段と、を更に備えたことを特徴とする処方せん情報管理装置。
【請求項３】
請求項１又は請求項２に記載の処方せん情報管理装置において、
前記印刷手段は枚数情報を出力するとき２次元シンボルの近傍に可読文字でも枚数情報を印刷出力することを特徴とする処方せん情報管理装置。
【請求項４】
患者と調剤日と診療科を指定して処方せんの処方データを入力するステップと、
入力された処方データを処方データ記録手段に記録するステップと、
入力された処方データをもとに調剤録データを生成するステップと、
処方せんの枚数を入力するステップと、
入力された枚数情報を患者と調剤日と診療科のデータとともに２次元シンボル化するステップと、
生成した調剤録データと２次元シンボルとをプリンタに送って処方せんの裏面に印刷出力する印刷ステップと、
処方せんの画像データを読み取るステップと、
読み取った処方せん画像データを画像データ記録手段に記録するステップと、
を有することを特徴とする処方せん情報管理方法。
【請求項５】
請求項４に記載の処方せん情報管理方法において、
処方せんの裏面に印刷された調剤録の画像データを読み取るステップと、
読み取った調剤録画像データの２次元シンボルから枚数情報を取得するステップと、
取得した枚数情報に従って処方せん画像データを画像データ記録手段に記録するとともに対応する処方データ記録手段上の処方データに画像データへのリンク情報を記録するステップと、
を更に備えたことを特徴とする処方せん情報管理方法。
【請求項６】
請求項４又は請求項５に記載の処方せん情報管理方法において、
前記印刷ステップは、２次元シンボルの近傍に更に可読文字でも枚数情報を印刷出力することを特徴とする処方せん情報管理方法。
【発明の詳細な説明】
【技術分野】
【０００１】
本発明は、調剤薬局等において処方せんの画像データを取り込み、患者別に記録管理する処方せん情報管理装置に関する。
【背景技術】
【０００２】
医療機関あるいは調剤薬局においては、医師が発行した処方せんに基づいて調剤した医薬品について、その調剤にかかった医療費を算定し、調剤報酬請求のためのレセプト（調剤報酬請求書）を出力する事務処理装置が普及している。レセプトは１ヶ月分をまとめて保険支払基金に提出するが、その際、所定の点数を越える高額請求をする場合には、当該患者の処方せんの写しをレセプトに添付して出すよう求められている。処方せんは最終的に薬剤師が調剤済みの印を押したものを保管する。また、高額レセプトに添付する処方せんの写しも、押印したものでなければならない場合が多い。
【０００３】
しかしながら、保管してある紙の処方せんから高額レセプトに係るものを探し出すのは容易ではない。そこで本願出願人は、紙のコピーを取っておく代りに、薬局に持ち込まれた処方せんの画像データをスキャナ等で取得し、それを別途入力した当該患者の処方データと連結してデータベースに登録するシステムを提案した（特許文献１参照）。
【０００４】
また、一方、調剤薬局では患者に処方薬を手渡した記録として「調剤録」を残さなければならない。これは対応する処方せんと一体に保管することになっているので、多くの場合、処方せんの裏面に記載する運用がなされている。そして、医療事務処理装置には、入力された処方データを元に調剤録を作成し、処方せんの裏面に印刷する機能が備わっている。即ち、オペレータが処方せんを参照して処方内容を入力すると、システムが当該患者の処方データとしてデータベースに記録するとともに調剤録データを作成する。そこでオペレータが処方せんの裏面をプリンタにセットして調剤録のプリントを指示すると、システムが調剤録データをプリンタから出力し、処方せんの裏面に調剤録が記録されるものである。
【特許文献１】特願２００４−１９９０４５
【発明の開示】
【発明が解決しようとする課題】
【０００５】
１人の患者が同じ病院の複数の診療科、例えば内科と眼科を同日に受診したときなど、内科と眼科の２枚の処方せんを持ち込むことがある。この場合、オペレータは、患者と調剤日と診療科を特定した上でそれぞれの処方データを入力するので、システムは当該患者の当該調剤日の内科の処方データ、及び眼科の処方データとしてそれぞれデータベースに記録する。従って、処方せんの画像データを登録する際には、それぞれの診療科の処方データと結びつけて登録することが望ましい。
【０００６】
処方せんは、前述したように複数の診療科のものが同時に持ち込まれることもあれば、１つの診療科から出されたものが複数ページに亘ることもある。また、別々の日に出されたものが一緒に持ち込まれることもあるので、１人の患者で同じ調剤日に複数の処方せん画像を登録する場合が起り得る。
【０００７】
ところで、調剤薬局によっては、処方せんに押す調剤済みの印を薬剤師がまとめて押すところもあり、その後、オペレータが処方せん画像の登録作業をするような運用をしているところもある。この場合、オペレータは先ず患者を特定し、次に診療科を指定してから画像の読み取りを実行する。処方せんは調剤作業の都合で必ずしも受け付け順に並んでい
るわけではないので、オペレータは、その日受け付けた患者の中から対象の１人を検索し、次に診療科を指定して画像の読み取りを指示するという作業を、受け付けた患者の数だけ繰り返さなければならない。これは単純作業であり苦痛である。また、処方せんが複数ページに亘る場合にはあらかじめページ順を整えておく必要もあるし、ページの数だけ読み取りを指示しなければならない。しかし、調剤作業の途中で前後している場合もあり、処方せんの内容を目で確認しながら順番を整える作業は手間のかかるものである。
【課題を解決するための手段】
【０００８】
本発明は、患者と調剤日と診療科を指定して処方せんの処方データを入力するための処方入力手段と、入力された処方データを記録する処方データ記録手段と、入力された処方データをもとに調剤録データを生成する生成手段と、処方せんの枚数を入力するための枚数入力手段と、入力された枚数情報を患者と調剤日と診療科のデータとともに２次元シンボル化する手段と、前記生成した調剤録データを２次元シンボルととともに処方せんの裏面に印刷出力する印刷手段と、処方せんの画像データを読み取る画像読取手段と、読み取った画像データを記録する画像データ記録手段を備え、前記画像読取手段は更に処方せんの裏面に印刷された調剤録の画像データを読み取るものであり、読み取った調剤録画像データの２次元シンボルから枚数情報を取得する手段と、取得した枚数情報に従って処方せん画像データを画像データ記録手段に記録するとともに対応する処方データに画像データへのリンク情報を記録する処理手段とを更に備え、上記課題を解決するものである。
【発明の効果】
【０００９】
本発明の処方せん情報管理装置によれば、処方せん裏面に調剤録を印刷するとき同時に処方せんの枚数情報を２次元シンボルで印刷するので、処方せんの画像データを読み取って２次元シンボルの情報から当該患者の処方データに関係付けて自動的に処方せん画像を登録することができるようになるものである。そして、処方せんの枚数は処方入力の際にオペレータが入力するが、ほとんどの患者は処方せんが１枚なのでデフォルト入力で済ますことができるし、また、処方せん裏面への調剤録の印刷作業も従来から行われていることなので、オペレータは新たな手間をかけることなく簡単にまとめて処方せん画像を登録することができる。しかも、枚数情報は２次元シンボルで印刷しているので、ＯＣＲ方式と比較して極めて正確に情報を取得することができ、非常に精度よく処方データと処方せん画像データとの連結がなされるものである。また、枚数の情報は２次元シンボルとともに可読文字でも印字しているので、オペレータは容易に読み取って順番を整えることができる。
【発明を実施するための最良の形態】
【００１０】
本発明の実施の形態における処方せん情報管理装置の構成を図１に示す。同装置は調剤薬局等に設置され、患者の処方せんに記載された処方データを患者別に登録するとともに、その処方せんの画像データも患者別に登録するためのものである。同装置はコンピュータで構成しており、内蔵したプログラムをＣＰＵが実行することで各種の機能を奏する処理手段１０と、オペレータがデータを入力するときに使用するキーボード等で構成した入力手段１１と、各種の情報を表示するためのＣＲＴ等で構成した表示手段１２と、調剤録を印刷するための印刷手段１３と、処方せんの画像を読み取るための画像読取手段１４と、患者の氏名等の患者固有の情報を記録する記録手段である患者固有情報データベース１５と、患者の処方データを記録する記録手段である患者処方情報データベース１６と、薬剤師が調剤した記録である調剤録を患者別に記録する記録手段である患者調剤録データベース１７と、処方せんの画像データを患者別に記録する記録手段である処方せん画像データベース１８とを備えている。
【００１１】
ここで、患者固有情報データベース１５に記録するデータとしては患者の氏名、生年月日、性別、住所、保険者番号、記号番号、本人／家族の別等の保険請求時に必要な情報と
、個々の患者を識別するために装置が付与した患者番号とを記録している。
【００１２】
また、患者処方情報データベース１６には患者の処方せんに係る情報、即ち処方データを記録する。図１０に処方せんの記載例を示す。この処方せんの真ん中部分「処方」欄に記載された内容を中心に、処方せん単位に記録する。装置内部にはすべての医薬品や用法に対してユニークなコードが付けられているので、オペレータはそのコードを使って処方内容を入力する。そして、後から検索できるように、患者の基本情報及び発行医療機関の名称や診療科、処方日、調剤日等の情報とともに記録する。また、更に、後述するように、当該処方せんの画像データとのリンク情報も一緒に記録するようにしている。
【００１３】
患者調剤録データベース１７には薬剤師が調剤した内容を記録する。具体的には、患者の氏名、年令、調剤した医薬品の薬名と分量、調剤年月日、処方せん記載の調剤量、調剤した薬剤師の氏名、処方せんの発行年月日、処方せんを交付した医師の氏名、処方せんを交付した医師又は医療機関等の名称と所在地等である。調剤録は書面に印刷して処方せんとともに保管することが求められているが、本実施の形態では、処方せんの裏面に直接印刷するようにしている。調剤録もまた、薬剤師が押印したものを保管することになっている。
【００１４】
処方せん画像データベース１８には患者別に処方せんの画像データを記録する。これは１人の患者につき１ヶ月間に所定額以上の保険請求をするときは処方せんのコピーを添付する必要があるので、あらかじめ処方せんの画像データを保管しておき、必要に応じて紙に印刷して使用するためである。これにより紙の処方せんを検索する手間を省こうとするものである。尚、添付する処方せんのコピーは調剤済みを示す薬剤師の印が押されたものでなければならない。従って、処方せん画像データベース１８には最終的に押印後の処方せん画像を記録する。尚、診療科が異なれば同じ医療機関でもそれぞれに処方せんを発行するので、処方データは患者ごと診療科別に患者処方情報データベース１６に記録している。そこで、１人の患者から同時に受け付けた処方せんでも、それぞれの診療科別に処方せんの画像データを記録するようにしている。そして、患者処方情報データベース１６に記録された処方データには、それぞれ対応する処方せん画像データへのリンク情報を後から追加するものである。
【００１５】
このように本実施形態では、処方データを患者処方情報データベース１６に記録し、その処方せんの画像データを参照可能に関連付けて処方せん画像データベース１８に記録しているので、特定の患者の特定の処方せんを指定してその画像を表示手段１２に表示したり、印刷手段１３で印刷出力することが容易にできるものである。
【００１６】
次に、本実施形態の動作について説明する。先ず、図２は処方情報の入力手順を示している。窓口で処方せんを受け取ったオペレータは、入力手段１１から処方情報の入力開始を指示し（ステップＳ１１）、入力対象の患者を指定する（同Ｓ１２）。このときその患者が既にシステムに登録済みであれば所定のキーで患者検索すればよい。一方、未登録の新患であれば患者登録処理を最初に実行する。次に処方せんを出した診療科を選択して指定する（同Ｓ１３）。ここで処理手段１０が図９に示す処方入力画面を表示手段１２に表示するので、オペレータは処方せんを確認してその診療科の処方せんの枚数を所定欄３１に入力する（同Ｓ１４）。そして、処方せんを参照しながら処方内容を入力する（同Ｓ１５）。その患者が複数の診療科の処方せんを持ち込んだのであれば（同Ｓ１６；あり）、それぞれに処方入力処理を繰り返す。このように本実施形態では処方せん単位に処方入力を実行し、その際、処方せんの枚数を入力するようにしている。
【００１７】
オペレータの入力に応じて処理手段１０は、図２に示すように動作する。即ち、処方内容が入力されるとそれに基づいて医療費を算定し（ステップＳ２１）、それを入力された
処方データとともに患者処方情報データベース１６に登録する（同Ｓ２２）。次に、処方データを元に調剤録データを生成し、先に入力された処方せんの枚数データとともに患者調剤録データベース１７に記録する（同Ｓ２３）。
【００１８】
次に、図４、図５を参照して調剤録を印刷する場合を説明する。オペレータは調剤録の印刷開始にあたり先ず患者と調剤日を指定する（ステップＳ３１）。そして、その対象の処方せんの裏面に調剤録を印刷するために、処方せんを裏返して印刷手段１３にセットし（同Ｓ３２）、印刷を指示する（同Ｓ３３）。
【００１９】
これに応じて処理手段１０は、図５に示すように、先に生成し記録しておいた調剤録データを、処方せん枚数情報とともに印刷出力する（同Ｓ４２，Ｓ４３）。その際、処理手段１０は、処方せん枚数情報を２次元シンボル化して（同Ｓ４１）調剤録の右肩余白部分に印刷出力するとともに、可読文字でも処方せん枚数情報を２次元シンボルの近傍に印刷する。図８に調剤録及び２次元シンボルの印刷出力例を示す。この例では内科の処方せんが２枚、眼科の処方せんが１枚あることが可読文字２１で印刷されている。２次元シンボル２２にも同じ枚数情報が表現されており、更にこれ以外に少なくとも患者番号と調剤日のデータを含んでいる。尚、２次元シンボルは２次元コードとも呼ばれ、本実施形態では例えばＱＲコード等を想定している。
【００２０】
次に、図６、図７を参照して処方せんの画像を自動的に登録する動作を説明する。本実施形態では、薬剤師が調剤済みの印を押した処方せんを窓口終了後にまとめて画像登録する運用を想定している。そこで、先ず、オペレータは、処方せんの裏面に印刷された調剤録の右肩を参照し、枚数情報を読み取って複数あるその患者の処方せんの順番を整える（ステップＳ５１）。枚数情報は２次元シンボル２２とともに可読文字２１でも印刷されているので容易に読み取ることができる。処方せんは患者単位にまとめてあるが、その中で順番が前後している場合もあるので、例えば内科２、眼科１とあるときはその指示通り先ず内科の２枚、次に眼科の１枚の順番に整える。そして処方せんの束を画像読取手段１４にセットし（同Ｓ５２）、処方せん画像の登録を指示する（同Ｓ５３）。このとき、画像読取手段１４の給紙機構が許す範囲で複数の患者の処方せんを一度にセットすればよい。
【００２１】
これに応じて処理手段１０は、図７に示すように、先頭の１枚について画像の読み取りを画像読取手段１４に指示する（ステップＳ６１）。尚、本実施形態の画像読取手段１４はシートの両面を読み取りできるものである。画像読取手段１４から画像データを受け取ると、処理手段１０は処方せんの裏面即ち調剤録の画像データから２次元シンボルを探して切り出し、それをデコードして患者番号、調剤日、診療科、枚数等の画像登録に必要な情報を取得する（同Ｓ６２）。画像データから２次元シンボルを検出してそれをデコードするプログラムは既存のものが利用できる。そして、取得した枚数情報に従い表側の画像データを処方せん画像データベース１８に登録し、患者処方情報データベース１６上の対応する処方データには処方せん画像データへのリンク情報を登録する（同Ｓ６３）。
【００２２】
処理手段１０は２次元シンボルから読み出した枚数情報により、当該診療科の処方せん画像をすべて登録したか判定する（同Ｓ６４）。まだであれば次の処方せんの読み取りを指示し（同Ｓ６５）、読み取った画像データを先程登録した画像データの続きとして処方せん画像データベース１８に登録する（同Ｓ６３）。
【００２３】
当該診療科の処方せんが終了したならば、処理手段１０はその患者の全処方せんを処理したか判定する（同Ｓ６６）。別の診療科の処方せんが残っていれば次の処方せんの読み取りを指示し（同Ｓ６５）、読み取った画像データを新たに処方せん画像データベース１８に登録するとともに、その診療科に対応する患者処方情報データベース１６上の処方データにリンク情報を登録する（同Ｓ６３）。こうしてその患者の処方せんを全部登録する
まで処理を繰り返す。
【００２４】
そして、その患者の処理が終了したら（同Ｓ６６；はい）、先頭に復帰して次の処方せんを１枚読み取り、次の患者について処方せん画像の登録処理を継続するものである。
【００２５】
このように、本実施形態では、処方せん裏面に２次元シンボルで印刷した枚数情報に従い、その処方せんの画像データを当該患者の処方データに関係付けて自動的に登録するものである。処方せんの枚数は処方入力の際にオペレータが入力するが、ほとんどの患者は処方せんが１枚なのでデフォルト入力で済ますことができる。また、処方せん裏面への調剤録の印刷も従来から行われている作業であるので、オペレータに新たな手間は発生しない。しかも枚数情報は２次元シンボルで印刷しているので、ＯＣＲ方式と比較して極めて正確に情報を取得することができ、精度よく処方データと処方せん画像データとの連結が図れるものである。
【図面の簡単な説明】
【００２６】
【図１】実施形態の処方せん情報管理装置の構成を示すブロック図である。
【図２】実施形態の処理手順を示す流れ図である。
【図３】実施形態の処理手順を示す流れ図である。
【図４】実施形態の処理手順を示す流れ図である。
【図５】実施形態の処理手順を示す流れ図である。
【図６】実施形態の処理手順を示す流れ図である。
【図７】実施形態の処理手順を示す流れ図である。
【図８】調剤録の印刷例を示す図である。
【図９】実施形態の処方入力画面の表示例を示す図である。
【図１０】処方せんの記載例を示す図である。
【符号の説明】
【００２７】
１０  処理手段
１１  入力手段
１２  表示手段
１３  印刷手段
１４  画像読取手段
１５  患者固有情報データベース
１６  患者処方情報データベース
１７  患者調剤録データベース
１８  処方せん画像データベース
２２  ２次元シンボル
【図１】
2006195876.tif 000003
【図２】
2006195876.tif 000004
【図３】
2006195876.tif 000005
【図４】
2006195876.tif 000006
【図５】
2006195876.tif 000007
【図６】
2006195876.tif 000008
【図７】
2006195876.tif 000009
【図８】
2006195876.tif 000010
【図９】
2006195876.tif 000011
【図１０】
2006195876.tif 000012